(57)【要約】      （修正有）【課題】温度が低い場合でも、光学ファインダーを覗いたまま、顔検出を正確に行うことができるようにする。【解決手段】撮像装置は、温度を検出する温度検出手段３９と、被写体像を観察する光学ファインダー１６と、被写体像の光を用いて被写体像中の顔を検出する顔検出手段１５と、被写体像中に所定の表示を行う液晶表示部４０と、制御手段４２を有する。制御手段は、顔検出手段による被写体像中の顔の検出の開始時、液晶表示部の液晶を非表示状態とし、非表示状態にした後に顔検出手段により行われる顔検出の終了時、液晶表示部の液晶を表示状態にもたらすように制御する。制御手段は、温度検出手段で検出された温度が所定の温度よりも低い場合には、液晶表示部を非表示状態にした後、所定の時間が経過した後に、顔検出手段による顔検出を行わせる。【選択図】図１
2012252066.tif 000002
【特許請求の範囲】
【請求項１】
当該撮像装置の温度を検出する温度検出手段と、
被写体像を観察する光学ファインダーと、
前記光学ファインダーに向かって導かれる被写体像の光を用いて被写体像中の顔を検出する顔検出手段と、
前記光学ファインダーに導かれる被写体像中に所定の表示を行う液晶表示部と、
前記顔検出手段による被写体像中の顔の検出の開始時、前記液晶表示部の液晶を非表示状態とし、非表示状態にした後に前記顔検出手段により行われる顔検出の終了時、前記液晶表示部の液晶を表示状態にもたらすように制御する制御手段と、
を有し、
前記制御手段は、前記温度検出手段で検出された温度が所定の温度よりも低い場合には、前記液晶表示部を非表示状態にした後、所定の時間が経過した後に、前記顔検出手段による顔検出を行わせることを特徴とする撮像装置。
【請求項２】
前記液晶表示部は、焦点調節エリアの表示を行うための液晶表示部であることを特徴とする請求項１に記載の撮像装置。
【請求項３】
複数の焦点調節エリアから自動で焦点調節エリアを選択する自動選択モードと手動で焦点調節エリアを選択する任意選択モードのいずれかを選択する選択手段と、
前記顔検出手段の顔検出機能を有効にするか否かを設定する設定手段と、
前記顔検出手段による顔検出を行うか否かを判定する判定手段と、
を有し、
前記制御手段は、前記判定手段による判定の結果、顔検出を行うと判定された場合に、前記液晶表示部による前記所定の表示を停止させ、前記顔検出手段による顔検出が終了したら、前記液晶表示部による前記所定の表示を開始させるように制御することを特徴とする請求項１または２に記載の撮像装置。
【請求項４】
被写体像を観察する光学ファインダーと、前記光学ファインダーに導かれる被写体像中に所定の表示を行うための液晶表示部を具備する撮像装置の制御方法であって、
撮像装置の温度を検出する温度検出工程と、
前記光学ファインダーに向かって導かれる被写体像の光を用いて被写体像中の顔を検出する顔検出工程と、
前記顔検出工程における被写体像中の顔の検出の開始時、前記液晶表示部の液晶を非表示状態とし、非表示状態にした後に前記顔検出工程において行われる顔検出の終了時、前記液晶表示部の液晶を表示状態にもたらすように制御する制御工程と、
を有し、
前記制御工程において、前記温度検出工程で検出された温度が所定の温度よりも低い場合には、前記液晶表示部を非表示状態にした後、所定の時間が経過した後に、前記顔検出工程で顔検出を行わせることを特徴とする制御方法。
【請求項５】
前記液晶表示部として、焦点調節エリアの表示を行うための液晶表示部を用いることを特徴とする請求項４に記載の制御方法。
【発明の詳細な説明】
【技術分野】
【０００１】
本発明は、電子スチルカメラ等の撮像装置に関し、特に、顔検出機能を供えた撮像装置の制御技術に関するものである。
【背景技術】
【０００２】
近年、多くのデジタルカメラ、特にコンパクトカメラにおいて、人間の顔を検出し、それを利用してオートフォーカス（ＡＦ）をより正確に行う機能が搭載されている。顔を検出する一般的な方法としては、次のものが知られている。すなわち、レンズを通して、撮像素子上に結像された被写体像を光電変換して電気信号として取り込み、それをマイクロコンピュータが解析し、眉や人間の黒眼と白眼のコントラストなどの情報を基に、顔の位置を特定する。また検出した顔の位置をユーザーに知らせる為に、顔の位置に表示を出すことも、一般的に行われている。
【０００３】
ただし、カメラという機器は様々な環境下、例えば極寒の地や高温多湿の地などで使用されることが想定される為、そのような環境下でもユーザーに対して分かり易く表示をする必要がある。特許文献１では、低温の時は、背面液晶で、検出している顔の位置を表示し、非低温時は、ファインダー内液晶で、検出している顔の位置を表示するように切り替えるという方法が提案されている
【先行技術文献】
【特許文献】
【０００４】
【特許文献１】特開2010-258510号公報
【発明の概要】
【発明が解決しようとする課題】
【０００５】
しかしながら、一眼レフカメラの場合においては、コンパクトカメラと異なり、撮像素子の前面（被写体側）に、ペンタプリズムに光を導くミラーがあり、またその先（撮像素子側）には露光を制御する為のシャッターがある。その為、一眼レフカメラの場合において、顔検出を行うためには、ペンタプリズムに導かれた光を、撮像素子上に取り込む必要がある。しかし、ペンタプリズムに導かれる光を利用する場合、ピント板（フォーカシングスクリーン）上に配置されている、オートフォーカスを行う焦点調節エリア（ＡＦ枠）情報を表示する為の液晶表示が被写体の顔と重なり、正確な顔検出が出来ないことが起こり得る。こうしたことがあるので、顔検出を行う時に液晶を消灯する必要が出てくる。且つ、ＡＦ枠の表示品質を落とさない為にも、消灯を行い顔検出する間隔は、一定周期で行う必要もある。しかしこのようにすると、温度が低い場合、液晶の応答性能に違いがあるので、消灯のタイミングが顔検出のタイミングとずれてしまうことが起こり得る。
【課題を解決するための手段】
【０００６】
上記課題に鑑み、本発明の撮像装置は、当該撮像装置の温度を検出する温度検出手段と、
被写体像を観察する光学ファインダーと、被写体像の光を用いて被写体像中の顔を検出する顔検出手段と、被写体像中に所定の表示を行う液晶表示部と、制御手段を有する。制御手段は、顔検出手段による被写体像中の顔の検出の開始時、液晶表示部の液晶を非表示状態とし、非表示状態にした後に顔検出手段により行われる顔検出の終了時、液晶表示部の液晶を表示状態にもたらすように制御する。制御手段は、温度検出手段で検出された温度が所定の温度よりも低い場合には、液晶表示部を非表示状態にした後、所定の時間が経過した後に、顔検出手段による顔検出を行わせる。
【０００７】
また、上記課題に鑑み、本発明の撮像装置の制御方法は、被写体像を観察する光学ファインダーと、光学ファインダーに導かれる被写体像中に所定の表示を行う液晶表示部を具備する撮像装置の制御方法であって、次の工程を有する。撮像装置の温度を検出する温度検出工程。光学ファインダーに向かって導かれる被写体像の光を用いて被写体像中の顔を検出する顔検出工程。顔検出工程における被写体像中の顔の検出の開始時、液晶表示部の液晶を非表示状態とし、非表示状態にした後に顔検出工程において行われる顔検出の終了時、液晶表示部の液晶を表示状態にもたらすように制御する制御工程。この制御工程において、温度検出工程で検出された温度が所定の温度よりも低い場合には、液晶表示部を非表示状態にした後、所定の時間が経過した後に、顔検出工程で顔検出を行わせる。
【発明の効果】
【０００８】
本発明によれば、液晶の駆動制御と顔検出を上述した様に行うことで、所定温度より低い低温下であっても、光学ファインダーを覗いたまま、顔検出を正確に行うことが可能となる。
【図面の簡単な説明】
【０００９】
【図１】本発明の実施例の前提となる構成を示す撮像装置の実施形態の概略ブロック図。
【図２】実施形態として適用した撮像装置の正面外観図と背面外観図。
【図３】測光開始時の基本的な流れを示したフローチャート。
【図４】常温時及び低温下における測光時の液晶表示と測光センサーと顔検出処理のタイミングチャートを示す図。
【図５】図４のタイミングチャート中の各状態でのファインダー内のイメージを示す図。
【発明を実施するための形態】
【００１０】
本発明の特徴は、低温下であっても、光学ファインダーを覗いたまま顔検出を正確に行える様に、検出温度が所定の温度よりも低い場合には、液晶表示部を非表示状態にした後、所定の時間が経過した後に、顔検出手段による顔検出を行わせることにある。この考え方に基づき、本発明の撮像装置及びその制御方法は、課題を解決するための手段のところで述べた様な基本的な構成を有する。
【００１１】
以下に、本発明の実施形態ないし実施例を、添付の図面に基づいて詳細に説明する。まず、図１と図２を用いて、実施例の前提となる構成を示す撮像装置の実施形態を説明する。図１はカメラの構成を示した図であり、図２はカメラの外観形状を示した図である。図１において、１００は、交換可能な撮影レンズを搭載するレンズユニットであり、２００は、撮像装置全体を表している。レンズ５は通常、複数枚のレンズから構成されるが、ここでは簡略して一枚のレンズのみで示している。６は、レンズがカメラ側と通信を行う為の通信端子であり、１０は、カメラがレンズ側と通信を行う為の通信端子である。レンズユニット１００は、この通信端子６，１０を介して、制御手段であるマイクロコンピュータ４２と通信する。そして、内部のレンズシステム制御回路４によって、絞り駆動回路２を介して絞り１の制御を行い、ＡＦ駆動回路３を介してレンズ５の位置を変位させることで焦点を合わせる。１１はＡＦセンサーで、マイクロコンピュータ４２にデフォーカス量情報を出力し、それに基づいてマイクロコンピュータ４２はレンズユニット１００を制御する。
【００１２】
１２はクイックリターンミラーで、露光の際にマイクロコンピュータ４２から指示されて、不図示のアクチュエータによりアップダウンされる。１３はフォーカシングスクリーンで、撮影者は、ペンタプリズム１４と光学ファインダー１６を介して、フォーカシングスクリーン１３を観察することで、レンズユニット１００を通して得た被写体の光学像の焦点調節状態や構図の確認が可能となる。１５は、顔を検出する顔検出手段であるＡＥ顔検知処理回路で、レンズユニット１００を通した被写体の輝度を測光し、且つ、被写体に顔があるか否かを検出し、顔を発見したか否かの情報や、顔の位置情報、顔の大きさ情報を算出する。また、これらの情報をマイクロコンピュータ４２に通知することも行う。マイクロコンピュータ４２は、顔検出を行うか否かの判定を行う判定手段をも含む。
【００１３】
１７はフォーカルプレーンシャッターで、マイクロコンピュータ４２の制御で撮像素子２０の露光時間を自由に制御できる。１８は光学フィルターで、一般的にローパスフィルターなどから構成され、フォーカルプレーンシャッター１７より入ってくる光の高周波成分をカットして、撮像素子２０に被写体像を導光する。撮像素子２０としては、一般的にＣＣＤやＣＭＯＳ等の撮像素子が用いられ、レンズユニット１００を通して撮像素子２０上に結像された被写体像を光電変換して電気信号として取り込む。
【００１４】
２１はAMP回路であり、取り込まれた電気信号に対して、設定されている撮影感度に応じたゲインで撮影信号を増幅する。２２は、A/D変換回路で、撮像素子２０によって電気信号に変換されたアナログ信号をデジタル信号に変換する。２３は画像処理回路で、A/D変換回路２２によってデジタル信号に変換された画像データに対して、フィルター処理、色変換処理、ガンマー／ニー処理を行い、メモリーコントローラ２７に出力する。また、この画像処理回路２３は、D/A変換回路も内蔵している。そして、A/D変換回路２２によってデジタル信号に変換された画像データやメモリーコントローラ２７より入力される画像データをアナログ信号に変換して、液晶駆動回路２４を介して液晶表示部２５に出力することも可能である。これらの画像処理回路２３による画像処理及び表示処理は、マイクロコンピュータ４２により切り替えられる。また、マイクロコンピュータ４２は、撮影画像のカラーバランス情報を基にホワイトバランス調整も行う。
【００１５】
メモリーコントローラ２７は、画像処理回路２３から入力された未処理の画像データをバッファメモリー２６に格納したり、或いは画像処理済みの画像データをメモリー２８に格納したり、逆にバッファメモリー２６やメモリー２８から画像データを取り込んで画像処理回路２３に出力したりもする。また、メモリーコントローラ２７は、USB（Universal Serial Bus）、IEEE（Institute of Electrical and Electronics
Engineers）やHDMI（High-Definition
Multimedia Interface）などの外部インタフェース２９を介して送られてくる画像データをメモリー２８に格納したり、逆にメモリー２８に格納されている画像データを外部インタフェース２９を介して外部に出力したりすることも可能である。メモリー２８は、着脱可能な様態でもよく、図１では、着脱可能な場合のメモリーとして図示している。具体的には、コンパクトフラッシュ（登録商標）を用いることができる。
【００１６】
３２はタイミング制御回路であり、この回路３２を介してマイクロコンピュータ４２は撮像素子２０の駆動タイミングを制御する。３５は電源制御回路であり、電力はAC電源部３０もしくは２次電池部３１より供給され、マイクロコンピュータ４２から指示を受けることで電源のオンオフを行う。また、電源状態検知回路３４により検知された現在の電源状態の情報や電源種類検知回路３３により検知された現在の電源の種類の情報をマイクロコンピュータ４２に通知することも行う。
【００１７】
３６はシャッター制御回路であり、この回路を介してマイクロコンピュータ４２はフォーカルプレーンシャッター１７を制御する。３７は光学フィルター振動制御回路であり、光学フィルター１８に接続されている圧電素子１９を振動させる回路である。光学フィルター１８からのダスト除去のために、振動の振幅、振動時間、振動の軸方向をそれぞれ所定の値で圧電素子１９を振動させるように、マイクロコンピュータ４２の指示に従い振動させる。３８は不揮発性メモリー（ＥＥＰＲＯＭ）で、撮影者が任意に設定したシャッター速度、絞り値、撮影感度などの設定値やデータをカメラに電源が入れられていない状態でも、保存することができる。
【００１８】
３９は温度検出回路であり、カメラ内部の温度を検出する。４０はファインダー内液晶表示部で、ファインダー内液晶駆動回路４１を介して、現在オートフォーカスが行われている焦点調節エリア（ＡＦ枠）を示す枠や、カメラが認識している被写体の顔の位置を示す枠などが表示される。この様なファインダー内液晶表示部４０としては、高いコントラストを得やすいＰＮ（Polymer Network）液晶などを用いて、その光拡散性を利用した遮光型のスーパーインポーズ表示を行うものがある。
【００１９】
図２（ａ）、（ｂ）は、それぞれ撮像装置全体２００の外観形状背面と外観形状前面を示し、図１と共通する部分は、同じ記号で示している。図２（ａ）において、２０１はレリーズ釦である。釦２０１を半押しすることで、被写体の輝度の測定や合焦を行ったり、また、顔検出機能が有効な場合は、被写体の顔がどこにあるかの測定を行ったりする。また、釦２０１を全押しすることで、シャッターが切られ画像の撮影が行われる。２０２はメイン電子ダイヤルである。撮影者は、この電子ダイヤル２０２を回すことで、シャッター速度や絞りなどの設定値の設定を行ったり、拡大モード状態での拡大倍率の微調整を行ったりする。図２（ａ）では、レンズマウントの開口からミラー１２が露出して見えている。
【００２０】
図２（ｂ）において、２０３はサブ電子ダイヤルである。撮影者は、この電子ダイヤル２０３を回すことで、絞りや露出補正などの設定値の設定を行ったり、画像表示状態での画像の１枚送り操作などを行ったりする。２０４は電源スイッチである。電源スイッチ２０４を回すことで電源のON及びOFFを行う。２０５は、各種設定を行う為のスイッチ群である。これらのスイッチ群２０５には、カメラ内外の記録媒体に保存されている画像を液晶表示部２５に表示させる再生指示釦や、各種設定画面を液晶表示部２５に表示させる為の設定画面表示指示釦などがある。撮影者はこれらのスイッチを押下することにより、各種設定を行う為の画面を表示させたり、撮影画像の確認を行ったりすることなどが可能となる。また、スイッチ群２０５には、顔検出機能を有効にするかを設定する設定手段も含まれる。２０６はＡＦ枠選択釦である。選択手段であるＡＦ枠選択釦２０６の操作で、複数のＡＦ枠からカメラが自動でＡＦ枠を選択する自動選択モードと撮影者が任意でＡＦ枠を手動で選択する任意選択モードのいずれかを選択することができる。撮影者は、このスイッチ２０６を押下し、ファインダー内液晶表示部４０や液晶表示部２５に、選択可能なＡＦ枠選択機能を表示させる。そして、メイン電子ダイヤル２０２やサブ電子ダイヤル２０３を操作することで、任意選択や自動選択といったＡＦ枠選択機能を設定することが出来る。以上の様に、本発明の撮像装置は、被写体像を観察する光学ファインダーと、光学ファインダーに向かって導かれる被写体像の光を用いて被写体像中の顔を検出する顔検出手段と、被写体像中に所定の表示を行う液晶表示部と、制御手段を少なくとも有する。制御手段は、後述する様に、顔検出手段による被写体像中の顔の検出の開始時、液晶表示部の液晶を非表示状態とし、非表示状態にした後に顔検出手段により行われる顔検出の終了時、液晶表示部の液晶を表示状態にもたらすように制御する。そして、制御手段は、温度検出手段で検出された温度が所定の温度よりも低い場合には、液晶表示部を非表示状態にした後、所定の時間が経過した後に、顔検出手段による顔検出を行わせる。
【００２１】
（実施例）
上記撮像装置の実施形態を前提とした本発明の実施例を図３を参照して説明する。本実施例による、レリーズ釦２０１を半押下した時の測光時のファインダー表示を行う動作について説明する。まずステップＳ１０で、測光開始釦が押下されているか否か（ここではレリーズ釦２０１が半押しされているか否か）の判定を行い、判定の結果、押下されていればステップＳ１１に進み、押下されていなければ終了する。ステップＳ１１では、ファインダー内液晶駆動回路４１を介して、ファインダー内液晶表示部４０に表示されている液晶表示を消灯する。なお、本明細書で「液晶表示の消灯」とは、液晶による表示を無くす（停止する）ことで、これは、液晶分子の並び方（配向）を非表示状態に制御することなどを指す。反対に、「液晶表示の点灯」とは、液晶による表示を開始することで、これは、液晶分子の並び方（配向）を表示状態に制御することなどを指す。表示状態と非表示状態との間で、液晶に対する電圧印加状態をどの様に変化させるかは、液晶表示部の種類、構造などによって異なる。したがって、例えば、表示状態で液晶への電圧印加をオンし非表示状態で液晶への電圧印加をオフしたりすることもあるが、必ずしもこうした駆動態様とは限らない。いずれにせよ、温度が、例えば−１０度以下と言うように低いときに、表示から非表示に切り替える際の液晶の応答遅延が問題になる場合に、本発明は適用されるものである。
【００２２】
ステップＳ１２では、温度検出回路３９から取得されるカメラ内部の温度が、閾値（所定の温度）よりも低いか否か判定し、判定の結果、低い場合には、ステップＳ１３に進み、高い場合には、ステップＳ１４に進む。ステップＳ１３では、ファインダー内液晶消灯確認タイマーを開始する。ステップＳ１４では、ＡＥ顔検知処理回路１５に内蔵されているＡＥセンサーへの蓄積を開始する。ステップＳ１５では、ＡＥセンサーへの蓄積が終了したか否かの判定を行い、蓄積が終了していたら、ステップＳ１６に進み、終了していなかったら、ステップＳ１５に戻る。ステップＳ１６では、ＡＥ顔検知処理回路１５により、被写体の輝度が算出される。
【００２３】
次にステップＳ１７では、ステップＳ１３で開始したファインダー内液晶消灯確認タイマーが終了したか否かを判定し、終了していれば、ステップＳ１８に進み、終了していなければステップＳ１９に進む。ステップＳ１８では、ＡＥ顔検知処理回路１５により、被写体に顔を発見したか否かの情報や、顔の位置情報、顔の大きさ情報などが算出される。ステップＳ１９では、測光開始釦が押下されているか否か、再度判定し、押下されていればステップＳ１０に進み、押下されていなければ、ステップＳ２１に進む。ステップＳ２０では、ファインダー内液晶駆動回路４１を介して、ファインダー内液晶表示部４０に表示されている液晶表示を再度点灯する。ステップＳ２１では、ステップＳ２０と同様、ファインダー内液晶駆動回路４１を介して、ファインダー内液晶表示部４０に表示されている液晶表示を再度点灯し、終了する。
【００２４】
ここで、より具体的に説明する為に、図４と図５を用いて、閾値よりも高い常温下でのファインダー内表示制御のタイミングと、閾値よりも低い低温下でのファインダー内表示制御のタイミングを説明する。まず、図４（Ａ）を用いて、常温下での表示制御について説明する。常温下の場合、制御手段のマイクロコンピュータ４２は、図４（Ａ）の（ａ）から（ｂ）のタイミングで、液晶消灯指示命令を液晶駆動回路４１に対して行い、ファインダー内液晶表示部４０に表示されている液晶表示を消灯する。常温下の場合、液晶は消灯まで遅延することはほぼない。その為、消灯とほぼ同時にＡＥ顔検知処理回路１５に内蔵されているＡＥセンサーへの蓄積が開始され、蓄積後、ＡＥ顔検知処理回路１５により顔検出処理が行われ、被写体輝度や顔に関する諸情報が算出される。この時、表示部４０のファインダー内液晶の見え方は、図５（ａ）から図５（ｂ）に示すイメージ図のように、表示が切り替わる。
【００２５】
また蓄積完了後、図４（Ａ）の（ｂ）から（ｃ）のタイミングで、液晶点灯指示命令を液晶駆動回路４１に対して行い、ファインダー内液晶表示部４０に表示されている液晶表示を点灯する。この時、ファインダー内液晶の見え方は、図５（ｂ）から図５（ｃ）に示すイメージ図のように、表示が切り替わる。
【００２６】
次に、図４（Ｂ）を用いて、低温下での表示制御について説明する。低温下の場合、すぐにファインダー表示上から液晶が消灯することはない。その為、図５（ｄ）から図５（ｅ）のタイミングで、液晶消灯指示命令を液晶駆動回路４１に対して行うと同時に、液晶の応答性能に応じた時間分を計るため、ファインダー内液晶消灯確認タイマーを開始する。このタイマーが作動中の間は、顔検出処理は行わないようにすることで、より正確に顔検出処理を行うことが出来るようになる。また、この時のファインダー内液晶の見え方は、図５（ｄ）から図５（ｅ）に示すイメージ図のように、表示が切り替わる。
【００２７】
次回のＡＥセンサーへの蓄積を開始するタイミングで、ファインダー内液晶消灯タイマーが終了していれば、蓄積後、ＡＥ顔検知処理回路１５により顔検出処理が行われ、被写体輝度や顔に関する諸情報が算出される。この時のファインダー内液晶の見え方は、図５（ｅ）から図５（ｆ）に示すイメージ図のように、表示が切り替わる。また蓄積完了後、図４（Ｂ）の（ｆ）から（ｇ）のタイミングで、液晶点灯指示命令を液晶駆動回路４１に対して行い、ファインダー内液晶表示部４０に表示されている液晶表示を点灯する。この時のファインダー内液晶の見え方は、図５（ｆ）から図５（ｇ）に示すイメージ図のように、表示が切り替わる。以上のように制御することで、低温下であっても、ファインダーを覗きながら、顔認識を正確に行うことが可能になる。以上の構成において、液晶表示部４０による所定の表示は、典型的にはＡＦ枠であるが、カメラが認識している被写体の顔の位置を示す枠や、ＡＦ枠と顔の位置の枠の両方などであってもよい。
【００２８】
なお、上述した実施例の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施例の機能を実現することができる。この場合、記憶媒体から読み出されたプログラムコード自体が前述した実施例の機能を実現することになり、そのプログラムコードを記憶した記憶媒体は本発明を構成することになる。このようなプログラムコードを供給する記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリーカード、ＲＯＭなどを用いることもできる。また、コンピュータが読み出したプログラムコードを実行することにより、前述した実施例の機能が実現されるだけではない。そのプログラムコードの指示に基づき、コンピュータ上で稼動しているＯＳ（オペレーティングシステム）などが実際の処理の一部又は全部を行い、その処理によって前述した実施例の機能が実現される場合も含まれている。さらに、記憶媒体から読み出されたプログラムコードが、コンピュータに挿入された機能拡張ボードやコンピュータに接続された機能拡張ユニットに備わるメモリーに書きこまれてもよい。その後、そのプログラムコードの指示に基づき、その機能拡張ボードや機能拡張ユニットに備わるＣＰＵなどが実際の処理の一部又は全部を行い、その処理によって前述した実施例の機能が実現される場合も含むものである。
【００２９】
以上、本発明の好ましい実施形態ないし実施例について説明したが、本発明はこれらの実施形態ないし実施例に限定されず、その要旨の範囲内で種々の変形及び変更が可能である。
【符号の説明】
【００３０】
１５・・顔検出手段（ＡＥ顔検知処理回路）、１６・・光学ファインダー、３９・・温度検出手段（温度検出回路）、４０・・液晶表示部、４２・・制御手段（マイクロコンピュータ）
【図１】
2012252066.tif 000003
【図２】
2012252066.tif 000004
【図３】
2012252066.tif 000005
【図４】
2012252066.tif 000006
【図５】
2012252066.tif 000007